(57)【要約】【課題】狭い空間でも取り付けが容易であるとともに、灯具の位置が変更自在となり間接照明としての演出効果が高い照明器具を提供する。【解決手段】  基板取付面１４１と取付板裏面１４２とを有する長方形状であって、基板取付面１４１の長手方向にＬＥＤ素子１３１が並べて配置されるＬＥＤモジュール基板１３０を取り付ける取付板１４０と、取付板裏面１４２に設けられた取付板側アーム連結部２４０と、ユニット天面３４４を備え、ＬＥＤモジュール基板１３０に電力を供給する電源装置を収納する電源ユニット３００と、ユニット天面３４４に設けられたユニット側アーム連結部２５０と、一方の端部が取付板側アーム連結部２４０と可動に連結されるとともに、他方の端部がユニット側アーム連結部２５０と可動に連結される継ぎ手２００とを備える。【選択図】図２
2012174580.tif 000002
【特許請求の範囲】
【請求項１】
長方形状をなし、発光面と前記発光面の裏面とを有し、前記発光面の長手方向に光源が並べて配置される取付部と、
前記取付部の前記裏面に設けられる第１の連結部と、
底面と前記底面に対向する天面とを備え、前記光源を点灯させるための電力を供給する電源装置を収納する電源ユニットと、
前記電源ユニットの前記天面に設けられる第２の連結部と、
一方の端部が前記第１の連結部と可動に連結されるとともに、他方の端部が前記第２の連結部と可動に連結されるアームと
を備えることを特徴とする照明器具。
【請求項２】
前記第１の連結部は、前記裏面の短手方向両端の一対の裏面側縁部のうちの一方の裏面側縁部に設けられることを特徴とする請求項１に記載の照明器具。
【請求項３】
前記天面は、長方形状であり、
前記第２の連結部は、前記天面の短手方向両端の一対の天面側縁部のうちの一方の天面側縁部に設けられることを特徴とする請求項１または２に記載の照明器具。
【請求項４】
前記第２の連結部は、前記天面の短手方向両端の一対の天面側縁部のうち、前記第１の連結部が設けられた短手方向端部側とは異なる短手方向端部側の天面側縁部に設けられることを特徴とする請求項３に記載の照明器具。
【請求項５】
前記アームは、
前記天面に対する傾きが変更自在になるように前記第２の連結部に連結されるとともに、前記裏面に対する傾きが変更自在になるように前記第１の連結部に連結されることを特徴とする請求項１〜４のいずれかに記載の照明器具。
【請求項６】
前記アームは、互いに連結された複数のアーム構成部材を備え、
前記複数のアーム構成部材は、隣接する各アーム構成部材同士が可動に連結されていることを特徴する請求項１〜５のいずれかに記載の照明器具。
【発明の詳細な説明】
【技術分野】
【０００１】
本発明は、例えば、ＬＥＤモジュールを用いる間接照明器具に関する。
【背景技術】
【０００２】
従来では、ベースにＬＥＤ発光素子を並べた灯具を備えるＬＥＤ照明器具を、直接視認することが困難な場所に取付ける場合に、取り付け作業が容易となるように構成されたＬＥＤ照明器具に関する技術がある（特許文献１参照）。
【０００３】
また、間接照明用として、コファーやコーブに取付けられる照明器具において、光源の向きを変更容易に構成した照明器具がある（特許文献２参照）。
【先行技術文献】
【特許文献】
【０００４】
【特許文献１】特開２００９−９９３６３号公報
【特許文献２】実用新案登録第２５４８０３７号
【発明の概要】
【発明が解決しようとする課題】
【０００５】
ベースにＬＥＤ発光素子を並べた灯具部と電源部とが一体になった照明器具を、建築物の各所の指示部材に直接固定する場合、天井面、壁面、床面等あらゆる方向に固定する必要があり、取付けや電源の配線が困難になる。同様に、コーブのような空間ではスペースが狭いため、取付けや電源の配線が困難になるという課題がある。また、照射した方向にのみ高輝度の光が生じてしまうという課題がある。
【０００６】
灯具と電源部が一体になった照明器具を間接照明として使用した場合には、取付け面から発光面までの距離が一定となるため、遮光部の高さによっては灯具が見えてしまう場合があるという課題がある。また、直接視認困難な場所では、設置してから照射方向を変更することは困難であるという課題がある。
【０００７】
本発明は、上記のような課題を解決するためのなされたものであり、狭い空間でも取り付けが容易であるとともに、灯具の位置を変更自在とすることで間接照明としての演出効果が高い照明器具を提供することを目的とする。
【課題を解決するための手段】
【０００８】
本発明に係る照明器具は、
長方形状をなし、発光面と前記発光面の裏面とを有し、前記発光面の長手方向に光源が並べて配置される取付部と、
前記取付部の前記裏面に設けられる第１の連結部と、
底面と前記底面に対向する天面とを備え、前記光源を点灯させるための電力を供給する電源装置を収納する電源ユニットと、
前記電源ユニットの前記天面に設けられる第２の連結部と、
一方の端部が前記第１の連結部と可動に連結されるとともに、他方の端部が前記第２の連結部と可動に連結されるアームとを備えることを特徴とする。
【発明の効果】
【０００９】
本発明に係る照明器具は、長方形状をなし、発光面と前記発光面の裏面とを有し、前記発光面の長手方向に光源が並べて配置される取付部と、前記取付部の前記裏面に設けられる第１の連結部と、底面と前記底面に対向する天面とを備え、前記光源を点灯させるための電力を供給する電源装置を収納する電源ユニットと、前記電源ユニットの前記天面に設けられる第２の連結部と、一方の端部が前記第１の連結部と可動に連結されるとともに、他方の端部が前記第２の連結部と可動に連結されるアームとを備えるので、狭い空間でも取り付けが容易であるとともに、灯具の位置が変更自在となり間接照明としての演出効果が高い照明器具を提供することができるという効果を奏する。
【図面の簡単な説明】
【００１０】
【図１】実施の形態１に係る照明器具５００の斜視図である。
【図２】実施の形態１に係る照明器具５００の図１の形態に対応する正面図である。
【図３】実施の形態１に係る照明器具５００の分解斜視図である。
【図４】実施の形態１に係る照明器具５００の斜視図である。
【図５】実施の形態１に係る照明器具５００の図４の形態に対応する正面図である。
【図６】実施の形態１，２に係る照明器具５１０の斜視図である。
【図７】実施の形態２に係る照明器具５１０の図６の状態に対応する正面図である。
【図８】実施の形態２に係る照明器具５１０の斜視図である。
【図９】実施の形態２に係る照明器具５１０の図８の状態に対応する正面図である。
【図１０】実施の形態２に係る継ぎ手２０１の斜視図である。
【図１１】実施の形態２に係る継ぎ手２０１の図１０の状態に対応する上面図である。
【図１２】実施の形態２に係る継ぎ手２０１の図１０の状態に対応する正面図である。
【図１３】実施の形態２に係る継ぎ手２０１の図１０の状態に対応する右側面図である。
【図１４】実施の形態２に係る照明器具５１０の継ぎ手２０１を可動させて固定したときの形態の一例を示す図である。
【図１５】実施の形態２に係る照明器具５１０の継ぎ手２０１を可動させて固定したときの形態の一例を示す図である。
【図１６】実施の形態２に係る照明器具５１０の継ぎ手２０１を可動させて固定したときの形態の一例を示す図である。
【図１７】実施の形態２に係る照明器具５１０の継ぎ手２０１を可動させて固定したときの形態の一例を示す図である。
【発明を実施するための形態】
【００１１】
実施の形態１．
以下、本実施の形態について、図１〜図５に基づいて説明する。
【００１２】
図１は、本実施の形態に係る照明器具５００の斜視図である。図２は、本実施の形態に係る照明器具５００の図１の形態に対応する正面図である。図３は、本実施の形態に係る照明器具５００の分解斜視図である。図４は、本実施の形態に係る照明器具５００の斜視図である。図５は、本実施の形態に係る照明器具５００の図４の形態に対応する正面図である。
【００１３】
本実施の形態において、図１、図２に示すように、照明器具５００は、光源ユニット１００、光源ユニット１００を点灯させるための電力を供給する電源装置等を内部に収納する電源ユニット３００（あるいは点灯ユニットともいう）、光源ユニット１００を電源ユニット３００に接続する（連結する）継ぎ手２００（アームともいう）を備える。継ぎ手２００は、光源ユニット１００と電源ユニット３００とを接続する（連結する）。また、継ぎ手２００は、電源ユニット３００に対する光源ユニット１００の位置を変更することができる。
【００１４】
図２、図３に示すように、光源ユニット１００は、カバー１１０、反射部１２０、ＬＥＤモジュール基板１３０、取付板１４０を備える。
【００１５】
取付板１４０は、基板取付面１４１（表面、発光面）と取付板裏面１４２（裏面、取付面）とを有する長方形状であり、基板取付面１４１（発光面）にＬＥＤモジュール基板１３０を取り付ける。取付板１４０の長手方向の長さは、後述する電源ユニット３００の長手方向の長さと同程度（あるいは同一）の長さである。取付板１４０は、取付部の一例である。
【００１６】
ＬＥＤモジュール基板１３０は、取付板１４０の基板取付面１４１と同程度か、あるいは基板取付面１４１よりやや小さい長方形状であり、長手方向にＬＥＤ素子１３１（光源）が並んで実装される。ＬＥＤモジュール基板１３０の実装面１３３には、基板１枚に必要な明るさ分のＬＥＤ素子１３１が、例えば１２個長手方向に並んで配置されている。ＬＥＤモジュール基板１３０の長手方向の長さは、電源ユニット３００と同程度の長さになっている。実装面１３３には、ＬＥＤモジュール基板１３０と電源ユニット３００とをリード線を用いて接続するためのコネクタ１３２が実装されている。
【００１７】
反射部１２０は、ＬＥＤ素子１３１から発せられる光を反射して配光制御する。反射部１２０は、各ＬＥＤ素子１３１に対応する反射板１２１を備える。反射板１２１は、各ＬＥＤ素子１３１を底部に備え、光の照射方向に放射状に広がって形成されている。反射板１２１は、各ＬＥＤ素子１３１を底部に備えるお椀状、すり鉢状である。ＬＥＤモジュール基板１３０は、反射部１２０により覆われている。
【００１８】
取付板１４０は、例えば、アルミニウムにより構成されている細長い薄板で、短手方向の両側の側部が、取付板裏面１４２側に折り曲げられている（図２参照）。取付板１４０は、断面略コ字状である。
【００１９】
取付板１４０がコ字形状に折り曲げられているのは、表面積を大きくすることでＬＥＤモジュール基板１３０等から発生する熱を放熱する際の熱放熱性を向上させるためでもある。ただし、取付板１４０は、必ずしもコ字形状に折り曲げられている必要はなく、長方形状のアルミニウム等の平板でも構わない。また、取付板１４０は、放熱性をよくするために厚板でもよい。また、取付板１４０は、平板や厚板等の板だけでなく、例えば、押し出し成形材でもよい。
【００２０】
図２、図３に示すように、取付板１４０は断面略コ字状である。つまり、取付板１４０は、取付板裏面１４２の短手方向の両端の裏面側縁部１４５から、取付板裏面１４２側に略垂直に突き出している裏面突出部１４３を備える。裏面突出部１４３は、断面略コ字状の取付板１４０の両側の側壁部分である。また、両側の裏面突出部１４３の各先端部は、内側に略直角に折り曲げられた折り曲げ部１４４を備える。
【００２１】
カバー１１０は、取付板１４０の基板取付面１４１を完全に覆っており、断面略半円形状である。カバー１１０は、上面に凸形の円弧状を形成していて、ほこりがたまりにくい形状となっている。カバー１１０は、樹脂等で形成されている。
【００２２】
継ぎ手２００は、取付板１４０にネジ止めにより固定される光源取付部２１０と、この光源取付部２１０にネジ止めすることにより接続する中間部であるアーム部２２０と、このアーム部２２０に接続され、電源ユニット３００にネジ止めにより固定される電源取付部２３０とから構成されている。
【００２３】
アーム部２２０は、略長方形の平板であり、図５に示すように、アーム部２２０の長手方向の長さＬ７は、取付板裏面１４２の短手方向の幅Ｌ８、ユニット天面３４４の短手方向の幅Ｌ９と略等しい。
【００２４】
図３に示すように、電源ユニット３００は、継ぎ手２００の電源取付部２３０がネジ止めにより固定される電源ユニットトップ３１０と、この電源ユニットトップ３１０により、上面を完全に塞がれる電源モジュール３２０と、この電源モジュール３２０のコネクタに配線により接続される電源端子台３３０と、電源モジュール３２０がネジ止めにより固定される電源ユニットボトム３４０とを備える。
【００２５】
本実施の形態に係る照明器具５００は、照明器具取付面に取り付けられて使用される。電源ユニットボトム３４０は、取り付けられた際に照明器具取付面に対向（当接）するユニット底面３４３を備え、ユニット底面３４３の長手方向の両端部に電源ユニット取付部３４１を備える。電源ユニット取付部３４１には、建築物の各所（照明器具取付面）へネジ止め等で簡単に固定できるように、取付用穴３４２が形成されている。
【００２６】
電源ユニットトップ３１０は、電源ユニットボトム３４０に蓋をするように取り付けられる。電源ユニットトップ３１０は、電源ユニットトップ３１０が電源ユニットボトム３４０に取り付けられた際に、ユニット底面３４３に対向する面であるユニット天面３４４を備える。ユニット天面３４４は、長方形状である。ユニット天面３４４と、取付板１４０の取付板裏面１４２（基板取付面１４１）とは略同一の大きさの略同一形状である。
【００２７】
電源ユニット３００は、長手方向に長く短手方向に短い直方体である。
【００２８】
電源ユニット３００の内部には、ＬＥＤ素子３１１を点灯させるための電源モジュール３２０と、この電源モジュール３２０のコネクタにリード線等の配線により接続される電源端子台３３０とが収納される。電源端子台３３０は、リード線を接続する端子が電源ユニット３００の長手方向端部の一方の端面から露出するように配置される。
【００２９】
アーム部２２０は、一方の端部である光源取付部２１０が取付板裏面１４２に可動に連結されるとともに、他方の端部である電源取付部２３０がユニット天面３４４に可動に連結される。アーム部２２０は、ユニット天面３４４に対する傾きαが変更自在になるようにユニット天面３４４に連結される。また、アーム部２２０は、取付板裏面１４２に対する傾きβが変更自在になるように取付板裏面１４２近傍に連結される。
【００３０】
本実施の形態では、アーム部２２０と取付板裏面１４２とを可動に連結する光源取付部２１０を継ぎ手２００の一方の端部に備え、アーム部２２０とユニット天面３４４とを可動に連結する電源取付部２３０を継ぎ手２００の他方の端部に備えている。しかし、例えば、取付板裏面１４２にアーム部２２０と取付板裏面１４２とを可動に連結する連結部材を設け、ユニット天面３４４にアーム部２２０とユニット天面３４４とを可動に連結する連結部材を設けてもよい。アーム部２２０と取付板裏面１４２とを可動に連結する構成部分を取付板側アーム連結部２４０（第１の連結部）とし、アーム部２２０とユニット天面３４４とを可動に連結する構成部分をユニット側アーム連結部２５０（第２の連結部）とする。
【００３１】
図２に示すように、継ぎ手２００の光源取付部２１０は、取付板裏面１４２の短手方向両端の一対の裏面側縁部１４５のうちの一方の裏面側縁部１４５近傍に設けられる。また、継ぎ手２００の電源取付部２３０は、ユニット天面３４４の短手方向両端の一対の天面側縁部３４５のうちの一方の天面側縁部３４５近傍に設けられる。
【００３２】
また、図２に示すように、継ぎ手２００の電源取付部２３０は、取付板裏面１４２をユニット天面３４４に対向させた場合に、取付板裏面１４２の光源取付部２１０が連結されている側の裏面側縁部１４５とは反対側のユニット天面３４４の天面側縁部３４５に取り付けられる。つまり、図５に示すように、取付板裏面１４２のＡ側の裏面側縁部１４５近傍に継ぎ手２００（アーム部２２０）が連結されている場合は、ユニット天面３４４のＢ側（Ａ側の反対側）の天面側縁部３４５近傍に継ぎ手２００（アーム部２２０）が連結される。この構成により、電源ユニット３００に光源ユニット１００を載置することができ、照明器具５００の最小状態を小さくすることができる。
【００３３】
しかし、取付板裏面１４２のＡ側の裏面側縁部１４５近傍に継ぎ手２００（アーム部２２０）が連結されていて、ユニット天面３４４のＡ側の天面側縁部３４５近傍に継ぎ手２００（アーム部２２０）が連結される構成でも構わない。
【００３４】
図２に示すように、アーム部２２０が可動に連結されるユニット側アーム連結部２５０は、天面側縁部３４５近傍に位置している。ユニット側アーム連結部２５０の位置は、天面側縁部３４５から（Ｌ９×１／４）の幅の範囲内に好ましい。つまり、図２において、Ｌ２０＞（Ｌ９×１／４）の関係が好ましい。
【００３５】
同様に、アーム部２２０が可動に連結される取付板側アーム連結部２４０は、裏面側縁部１４５近傍に位置している。取付板側アーム連結部２４０の位置は、裏面側縁部１４５から（Ｌ８×１／４）の幅の範囲内に位置するのが好ましい。
【００３６】
照明器具５００は、ユニット天面３４４の長手方向の端部の近傍に２本の継ぎ手２００を備える。図１に示すように、長手方向の各端部から各継ぎ手２００までの間隔Ｌ３、Ｌ４は略等しいことが好ましい。また、２本の継ぎ手２００の間の間隔Ｌ２とすると、Ｌ２，Ｌ３，Ｌ４との関係は、Ｌ２＝Ｌ３×２＝Ｌ４×２の関係が好ましい。
【００３７】
図２に示すように、アーム部２２０は、電源取付部２３０の連結部（ユニット側アーム連結部２５０）を軸として、Ｐ３方向、あるいはＰ４方向に回転する（回動する）。また、光源ユニット１００は、光源取付部２１０の連結部（取付板側アーム連結部２４０）を軸として、Ｐ１方向、あるいはＰ２方向に回転（回動）する。
【００３８】
図１及び図２に示す状態から継ぎ手２００（アーム部２２０）を右方向（時計回り）（Ｐ３方向）に略１３５度可動させて、光源ユニット１００と電源ユニット３００を固定している角度を変えることで、図４及び図５に示す状態に変更することができる。本実施の形態では、アーム部２２０の長さＬ７は、取付板１４０の短手方向の幅Ｌ８及びユニット天面３４４の短手方向の幅Ｌ９と略等しい。
【００３９】
アーム部２２０をユニット天面３４４に当接させるように、電源取付部２３０のユニット側アーム連結部２５０を軸としてアーム部２２０を回動させる。また、取付板裏面１４２がアーム部２２０と略平行となるように光源取付部２１０の取付板側アーム連結部２４０を軸として、取付板１４０がアーム部２２０と略平行となるように取付板１４０を回転（回動）させる。
【００４０】
図４、図５に示すように、アーム部２２０をユニット天面３４４上に寝かせて、取付板１４０もアーム部２２０と平行になるようにたたむことができる。このとき、ＬＥＤモジュール基板１３０とユニット天面３４４との間には、（Ｌ５＋Ｌ６）の幅の空間ができる。Ｌ５は、取付板裏面１４２の裏面側縁部１４５から突き出した裏面突出部１４３の突出長である。また、Ｌ６は、アーム部２２０の短手方向の幅に略等しい。
【００４１】
この状態のように、継ぎ手２００で光源ユニット１００を固定することにより、お互いに密着させずに近づけて空間を保つことができる。このように空間を保つことにより、光源ユニット１００と電源ユニット３００が、お互いの放熱を受けることを少なくすることができ、放熱性を高める効果が得られる。
【００４２】
本実施の形態では、取付板裏面１４２の裏面突出部１４３の先端部である折り曲げ部１４４に継ぎ手２００の光源取付部２１０が連結される。しかし、裏面突出部１４３はなくてもよい。つまり、取付板１４０は、光源取付部２１０を裏面側縁部１４５近傍の取付板裏面１４２に直接連結してもよい。この場合は、取付板裏面１４２とユニット天面３４４との距離が、Ｌ６となり、Ｌ６の幅の空間を備えることにより放熱性が担保されるとともに、照明器具５００自体をよりコンパクトにすることができる。
【００４３】
本実施の形態に係る照明器具５００は、光源ユニット１００の長手方向の長さと、電源ユニット３００の長手方向の長さとが略等しい形状である。本実施の形態に係る照明器具５００の継ぎ手２００は、上述したように、電源ユニット３００（点灯ユニット）のユニット天面３４４と、光源ユニット１００の底面である取付板裏面１４２とを連結するように取り付けられている。したがって、電源ユニット３００の長手方向の長さと、光源ユニット１００の長手方向の長さとを、必ずしも一致させる必要はない。
【００４４】
図６は、本実施の形態に係る照明器具５１０の斜視図である。図６に示すように、照明器具５１０は、光源ユニット１００の長手方向の長さＬ１０が、電源ユニット３００の長手方向の長さＬ１１の約２倍である。図６に示す継ぎ手２０１は、上述した継ぎ手２００とは異なる構成であるが、継ぎ手２０１の詳細な説明は後述する。ここでは、継ぎ手２０１は、継ぎ手２００と同様の構成であるものとして説明する。
【００４５】
本実施の形態に係る照明器具５００によれば、継ぎ手２００が電源ユニット３００の天面と光源ユニット１００の底面とに取り付けられているので、電源ユニット３００の天面と光源ユニット１００の底面との長手方向の長さによる制約を受けることがない。そのため、電源ユニット３００を光源ユニット１００よりも短くすることもでき、長くすることもできる。つまり、光源ユニット１００の長手方向の長さが、電源ユニット３００の長手方向の長さより長い形状の照明器具５１０にも適用可能であり、逆に、光源ユニット１００の長手方向の長さが、電源ユニット３００の長手方向の長さより短い形状の照明器具にも適用可能である。
【００４６】
図６に示すように、照明器具５１０では、光源ユニット１００の長手方向の長さＬ１０が、電源ユニット３００の長手方向の長さＬ１１の約２倍である。継ぎ手２００の電源取付部２３０の位置は、ユニット天面３４４の長手方向の両端部近傍の２カ所である。また、継ぎ手２００の光源取付部２１０の位置は、光源ユニット１００の裏面突出部１４３の長手方向中心Ｏから所定の距離（Ｌ１２）外側の位置の２点（Ｅ点、Ｆ点）である。照明器具５１０の光源ユニット１００は、長手方向中心Ｏを中心として所定の幅Ｌ１２×２の間隔を有する２点（Ｅ点、Ｆ点）で継ぎ手２００に連結されるので、安定して固定することができる。２点（Ｅ点、Ｆ点）の間隔Ｌ１２×２は、Ｌ１１の１／２の長さよりも長いことが好ましく、Ｌ１１の２／３の長さより長いこと方がより好ましい。
【００４７】
また、本実施の形態に係る照明器具５００によれば、継ぎ手２００の端部がユニット天面３４４の天面側縁部３４５近傍と、取付板裏面１４２の裏面側縁部１４５近傍とにそれぞれ連結され、この連結部が軸になって継ぎ手２００が可動する。
【００４８】
継ぎ手２００がユニット天面３４４の短手方向の両端に取り付けられているので、光源ユニット１００（発光ユニット）のみを回動可能とすることができる。つまり、電源ユニット３００に光源ユニット１００の短手方向の端部を接した状態での角度調整が容易となる。つまり、図５に示すように、図５の状態から、取付板側アーム連結部２４０を軸としてＰ３０方向に光源ユニット１００を回動させることもできるし、ユニット側アーム連結部２５０を軸としてＰ３１方向に光源ユニット１００を回動させることもできる。
【００４９】
また、本実施の形態に係る照明器具５００によれば、図５に示すように、光源ユニット１００を電源ユニット３００に最も近づけた状態のとき、継ぎ手２００の可動軸（取付板側アーム連結部２４０、ユニット側アーム連結部２５０）が必ずユニット天面３４４の短手方向の両端部にくるので、電源ユニット３００の短手方向に対して光源ユニット１００の短手方向の位置がずれることが少なくなる。例えば、１台の照明器具であればずれの調整にかかる作業者の負担が小さいかもしれないが、通常、多数の照明器具を設置することが多いため、すべての照明器具の調整をするには多くの負担がかかる。上記のように、本実施の形態に係る照明器具５００によれば、このような、作業者の負担を軽減することができ、作業効率を向上させることができる。
【００５０】
本実施の形態に係る照明器具５００によれば、間接照明用として、コファーやコーブに取付けられる照明器具５００において、電源装置部分（電源ユニット３００）と、ベースにＬＥＤ発光素子を並べた灯具部分（光源ユニット１００）を別々に備えるので、狭い空間でも電源ユニット３００の取付作業が容易となる。
【００５１】
本実施の形態に係る照明器具５００によれば、図２に示すように、ユニット側アーム連結部２５０がユニット天面３４４に対する継ぎ手２００の角度が変更自在になるように、アーム部２２０とユニット天面３４４とを連結するので、光源ユニット１００の位置を上下に移動することができるとともに、左右（Ａ−Ｂ）方向に移動することもできる。
【００５２】
また、本実施の形態に係る照明器具５００によれば、図２に示すように、取付板側アーム連結部２４０が継ぎ手２００に対する取付板裏面１４２の角度が変更自在になるように、アーム部２２０と取付板裏面１４２とを連結する。したがって、取付板１４０を取付板側アーム連結部２４０を軸としてＰ１−Ｐ２方向に回動して所定の位置で固定することにより、光源ユニット１００の光の照射方向を自在に変更できる。
【００５３】
実施の形態２．
実施の形態１では、継ぎ手２００のアーム部２２０は、長手方向の長さが取付板１４０の短手方向の長さ（ユニット天面３４４の短手方向の長さ）と略等しい長方形の１枚の平板であった。本実施の形態に係る照明器具５１０の継ぎ手２０１は、互いに連結された複数のアーム構成部材を備え、隣接する各アーム構成部材同士が可動に連結されている。
【００５４】
本実施の形態において、実施の形態１と同様の構成については、同じ符号を付してその説明を省略し、実施の形態１と異なる部分について説明する。
【００５５】
以下、本実施の形態について、図６〜図１７に基づいて説明する。上述したように、図６は、本実施の形態に係る照明器具５１０の斜視図である。
【００５６】
図７は、本実施の形態に係る照明器具５１０の図６の状態に対応する正面図である。図８は、本実施の形態に係る照明器具５１０の斜視図である。図９は、本実施の形態に係る照明器具５１０の図８の状態に対応する正面図である。図１０は、本実施の形態に係る継ぎ手２０１の斜視図である。図１１は、本実施の形態に係る継ぎ手２０１の図１０の状態に対応する上面図である。図１２は、本実施の形態に係る継ぎ手２０１の図１０の状態に対応する正面図である。図１３は、本実施の形態に係る継ぎ手２０１の図１０の状態に対応する右側面図である。図１４は、本実施の形態に係る照明器具５１０の正面図である。図１５は、本実施の形態に係る照明器具５１０の正面図である。図１６は、本実施の形態に係る照明器具５１０の正面図である。図１７は、本実施の形態に係る照明器具５１０の正面図である。
【００５７】
本実施の形態に係る照明器具５１０は、例えば、下げ天井の上部側や突き出し壁の内側等の直接視認ができないような部分に取り付けられることを想定している。図７に示すように、照明器具５１０は、例えば、コーブ天井６００に取り付けられる。コーブ天井６００の内側には、照明器具取付面６１０を有し、照明器具取付面６１０に照明器具５１０の電源ユニット３００の電源ユニット取付部３４１がネジ止めにより固定されている。
【００５８】
本実施の形態において、図６〜図９に示す照明器具５１０の継ぎ手２０１は、複数のアーム構成部材（アーム中間部２２０ａ、２２０ｂ、２２０ｃ）が連結されている。隣り合うアーム中間部同士は連結部２２７（２２７ａ，２２７ｂ）で連結されている。
【００５９】
継ぎ手２０１は、２点以上の軸（連結部２２７ａ，２２７ｂ）を有し、連結部２２７を中心に障害物に当たらない範囲で可動（回動）自在である。したがって、実施の形態１の継ぎ手２００のようにアーム部２２０が平板一枚の場合に比べて、より広範囲に上下方向、左右方向（Ａ−Ｂ方向）に光源ユニット１００を移動させることができる（図８、図９参照）。
【００６０】
図１０に示すように、継ぎ手２０１は、一方の端部に光源ユニット１００の取付板裏面１４２（あるいは、裏面突出部１４３）にネジ止めにより固定される光源取付部２１０を備え、他方の端部に電源ユニット３００のユニット天面３４４にネジ止めにより固定される電源取付部２３０を備える。
【００６１】
図１０、図１１に示すように、継ぎ手２０１は、取付板側アーム連結部２４０において、光源取付部２１０とアーム中間部２２０ａの端部２２０ａ−１とがネジ止めにより可動に連結される。ネジ止めにより可動に連結するとは、例えば、ネジ止めを緩めて所望の角度に回動させ、所望の角度・位置になったところでネジを締めて継ぎ手２０１を固定することを意味する。
【００６２】
連結部２２７ａにおいて、アーム中間部２２０ａの端部２２０ａ−２と、アーム中間部２２０ｂの端部２２０ｂ−１とがネジ止めにより可動に連結される。連結部２２７ｂにおいて、アーム中間部２２０ｂの端部２２０ｂ−２と、アーム中間部２２０ｃの端部２２０ｃ−１とがネジ止めにより可動に連結される。ユニット側アーム連結部２５０において、電源取付部２３０とアーム中間部２２０ｃの端部２２０ｃ−２とがネジ止めにより可動に連結される。
【００６３】
図１０〜図１３に示すように、継ぎ手２０１は、取付板側アーム連結部２４０において、光源取付部２１０とアーム中間部２２０ａの端部２２０ａ−１とを、継ぎ手固定ネジ２２１ａとナット２２１ｂとワッシャー２２１ｃを用いて可動に連結する。
【００６４】
また、連結部２２７ａにおいて、アーム中間部２２０ａの端部２２０ａ−２とアーム中間部２２０ｂの端部２２０ｂ−１とを、継ぎ手固定ネジ２２２ａとナット２２２ｂとワッシャー２２２ｃを用いて可動に連結する。
【００６５】
また、連結部２２７ｂにおいて、アーム中間部２２０ｂの端部２２０ｂ−２とアーム中間部２２０ｃの端部２２０ｃ−１とを、継ぎ手固定ネジ２２３ａとナット２２３ｂとワッシャー２２３ｃを用いて可動に連結する。
【００６６】
そして、ユニット側アーム連結部２５０において、アーム中間部２２０ｃの端部２２０ｃ−２と電源取付部２３０とを、継ぎ手固定ネジ２２４ａとナット２２４ｂとワッシャー２２４ｃを用いて可動に固定する。
【００６７】
図１４〜図１７に、本実施の形態における継ぎ手２０１を可動させたときの照明器具５１０の形態のバリエーションを示す。図１４は、本実施の形態に係る照明器具５１０の継ぎ手２０１を可動させて固定したときの形態の一例を示す図である。図１５は、本実施の形態に係る照明器具５１０の継ぎ手２０１を可動させて固定したときの形態の一例を示す図である。図１６は、本実施の形態に係る照明器具５１０の継ぎ手２０１を可動させて固定したときの形態の一例を示す図である。図１７は、本実施の形態に係る照明器具５１０の継ぎ手２０１を可動させて固定したときの形態の一例を示す図である。
【００６８】
図１４〜図１７では、光源取付部２１０が、裏面突出部１４３の外側に固定されているが、実施の形態１の照明器具５００のように、裏面突出部１４３の先端の折り曲げ部１４４の下面に固定するとしてもよい。あるいは、取付板１４０が裏面突出部１４３を備えておらず、取付板裏面１４２の裏面側縁部１４５近傍に、直接、光源取付部２１０を固定する構成でもよい。
【００６９】
図１４に示す状態から、アーム中間部２２０ｂを連結部２２７ｂを軸としてＰ１０方向（時計回り）に１８０度可動させ、アーム中間部２２０ａを連結部２２７ａを軸としてＰ１２方向（反時計回り）に１８０度可動させると、図１５に示す状態となる。
【００７０】
図１５に示す状態から、アーム中間部２２０ｂを連結部２２７ｂを軸としてＰ１３方向（時計回り）に９０度可動させ、アーム中間部２２０ｂとアーム中間部２２０ｃとを重ねて、光源取付部２１０を取付板側アーム連結部２４０を軸としてＰ１６方向（反時計回り）に９０度可動させると図１６に示す状態となる。
【００７１】
図１６に示す状態から、アーム中間部２２０ａを連結部２２７ａ（図１６では、ユニット側アーム連結部２５０の後方に隠れている）を軸としてＰ１２方向（反時計回り）に４５度程度可動させ、光源取付部２１０を取付板側アーム連結部２４０を軸としてＰ１５方向（時計回り）に９０度可動させると図１７に示す状態になる。図１７に示す状態は、図８、図９に示す状態である。
【００７２】
照明器具５１０の光源ユニット１００を図１７の状態にすることで、図９に示すように、光の照射方向をＰ８方向にすることができる。このように、間接光の演出効果を高めることができる。
【００７３】
図１４に示すように、アーム中間部２２０ａ，２２０ｂ，２２０ｃの長さはすべてＬ７（Ｌ７と略同一の長さ）となるように形成する。そして、Ｌ７は、ユニット天面３４４の短手方向の長さＬ９及び取付板１４０の幅Ｌ８と略等しいので、アーム中間部２２０ａ，２２０ｂ，２２０ｃをすべてユニット天面３４４の短手方向に寝かせるように継ぎ手２００を折りたたんだ場合に、図５に示す状態と同様の状態となる。つまり、継ぎ手２０１が複数のアーム構成部材から構成されていても、コンパクトに折りたたむことができる。
【００７４】
また、本実施の形態では、例えば図７に示すように、継ぎ手２０１の光源取付部２１０は、取付板裏面１４２のＡ側の裏面側縁部１４５近傍に連結され、継ぎ手２０１の電源取付部２３０は、ユニット天面３４４のＢ側（Ａ側の反対側）の天面側縁部３４５近傍に取り付けられている。
【００７５】
しかし、継ぎ手２０１の光源取付部２１０は、取付板裏面１４２のＡ側の裏面側縁部１４５近傍に連結されていて、継ぎ手２０１の電源取付部２３０も、ユニット天面３４４のＡ側の天面側縁部３４５近傍に取り付けられていてもよい。アーム部２２０のアーム構成部材（アーム中間部）の数を変更することで、同じ側に継ぎ手２０１が連結されていても、電源ユニット３００に光源ユニット１００を載置する状態とすることができ、照明器具５００の最小状態を小さくすることができる。
【００７６】
本実施の形態に係る照明器具５１０によれば、例えば、コファーのような掘上天井の建築物に電源ユニット３００を固定する際に、継ぎ手２０１を可動させることで、電源ユニット３００から光源ユニット１００を壁等に当たらない位置に移動させることができる。これにより、電源ユニット３００をネジ止めにより照明器具取付面に容易に固定することができる。また、空間が広く取れるため、電源配線ための電源ユニット３００の電源端子台３３０への接続も容易にできるようになるという効果がある。
【００７７】
例えば、光源ユニット１００が電源ユニット３００よりも上側にある照明器具の場合、電源ユニット３００を設置面に対して上方向に向けて固定すると、光源ユニット１００から照射される光の照射方向は、必然的に電源ユニット３００の設置面に対して上方向に決定される。使用者が希望する最適な照度に設定したいとき、使用者自身が光源ユニット１００から照射される光の照射方向の角度を調節することにより得られる照度の範囲が限られてしまう。
【００７８】
しかしながら、本実施の形態に係る照明器具５１０のように、継ぎ手２０１の可動軸が２点以上（ユニット側アーム連結部２５０、連結部２２７ａ、連結部２２７ｂ）あれば、この可動軸によって、一定の距離の動きだけでなく、光源ユニット１００の固定位置を上下方向、左右方向（Ａ−Ｂ方向）により広く変更することができる。これにより、使用者自身が光源ユニット１００から照射される光の照射方向の角度を調節することにより得られる照度の範囲は、広くなり、効果的に光源ユニット１００から照射される光の照射方向を演出することができる。つまり、本実施の形態に係る照明器具５１０によれば、直接視認困難な場所でも電源部（電源ユニット３００）を容易に固定できるとともに、間接光を効果的に演出することができる。
【００７９】
使用者が必要とする照度が高い場合、光源ユニット１００が有するＬＥＤ素子１３１の数を多くして対応することが必要となる。そのためには、光源ユニット１００を構成しているＬＥＤモジュール基板１３０の枚数を増やさなければならないので、光源ユニット１００のサイズを電源ユニット３００より大きく、かつ長くすることが必要になる。
【００８０】
この照明器具５００では、光源ユニット１００と電源ユニット３００は分離されているので、光源ユニット１００のサイズに関係なく、電源ユニット３００のサイズは変わらず、光源ユニット１００が小さかったときと同じサイズを保つことができ、光源ユニット１００のサイズが大きくなっても、電源ユニット３００を小型化することができる効果がある。
【００８１】
継ぎ手２００の光源取付部２１０は、光源ユニット１００の長手方向の端面には取り付けられておらず、光源ユニット１００の短手方向の端部である側面または下面に取り付けられている。そして、継ぎ手２００の電源取付部２３０は、電源ユニット３００のユニット天面３４４または短手方向の端部である側面に取り付けられている。
【００８２】
継ぎ手２００の光源取付部２１０が取り付けられている場所が、光源ユニット１００の長手方向の両端部（両端面）でないため、光源ユニット１００を連結した場合に継ぎ目が無く連結することができる。照明器具５００の設置場所に応じて、照明器具５００，５１０の光源ユニット１００を複数個連結して配置することができ、使用者が必要とする最適なサイズに変更可能である。つまり、照明器具５００，５１０の光源ユニットを長手方向に複数個連結させることができる。
【００８３】
本実施の形態に係る照明器具５１０の継ぎ手２０１によれば、アーム部２２０が複数の板（アーム中間部２２０ａ，２２０ｂ，２２０ｃ）を連結させて構成するとともに、連結したアーム部２２０を折り曲げた最小状態が１枚の板の長さとなるように構成している。この構成により、光源ユニット１００の可動範囲を広げるとともに、電源ユニット３００の真上に光源ユニット１００を載せたとき、継ぎ手２０１（アーム部２２０）を最小状態とすることができる。
【００８４】
以上、実施の形態１〜２について説明したが、これらのうち、２つの実施の形態を組み合わせて実施しても構わない。あるいは、これらのうち、１つの実施の形態を部分的に実施しても構わない。あるいは、これらのうち、２つの実施の形態を部分的に組み合わせて実施しても構わない。
【符号の説明】
【００８５】
１００  光源ユニット、１１０  カバー、１２０  反射部、１３０  ＬＥＤモジュール基板、１３１  ＬＥＤ素子、１３２  コネクタ、１３３  実装面、１４０  取付板、１４１  基板取付面、１４２  取付板裏面、１４３  裏面突出部、１４４  折り曲げ部、１４５  裏面側縁部、２００，２０１  継ぎ手、２１０  光源取付部、２２０  アーム部、２２０ａ，２２０ｂ，２２０ｃ  アーム中間部、２２１ａ，２２２ａ，２２３ａ，２２４ａ  継ぎ手固定ネジ、２２１ｂ，２２２ｂ，２２３ｂ，２２４ｂ  ナット、２２１ｃ，２２２ｃ，２２３ｃ，２２４ｃ  ワッシャー、２２７  連結部、２３０  電源取付部、２４０  取付板側アーム連結部、２５０  ユニット側アーム連結部、３００  電源ユニット、３１０  電源ユニットトップ、３２０  電源モジュール、３３０  電源端子台、３４０  電源ユニットボトム、３４１  電源ユニット取付部、３４２  取付用穴、３４３  ユニット底面、３４４  ユニット天面、３４５  天面側縁部、５００，５１０  照明器具、６００  コーブ天井、６１０  照明器具取付面。
【図１】
2012174580.tif 000003
【図２】
2012174580.tif 000004
【図３】
2012174580.tif 000005
【図４】
2012174580.tif 000006
【図５】
2012174580.tif 000007
【図６】
2012174580.tif 000008
【図７】
2012174580.tif 000009
【図８】
2012174580.tif 000010
【図９】
2012174580.tif 000011
【図１０】
2012174580.tif 000012
【図１１】
2012174580.tif 000013
【図１２】
2012174580.tif 000014
【図１３】
2012174580.tif 000015
【図１４】
2012174580.tif 000016
【図１５】
2012174580.tif 000017
【図１６】
2012174580.tif 000018
【図１７】
2012174580.tif 000019